(57)【要約】【課題】入力操作時の干渉縞の発生を抑制しつつ、表示光の反射による視認性の低下も抑制可能な透明座標入力装置および透明複合材を提供する。【解決手段】第１透明基材３２の上面には一方向に延びる多数の第１畝部（線条）４５が形成されている。こうした第１畝部４５は断面が多角形、例えば三角形を成す突条であり、第１透明基材３２の上面には１組の斜面４６ａと斜面４６ｂとが交互に形成された構成とされている。第１透明基材３２の下面には、第１畝部４５と所定の角度、例えば直交する方向に延びる多数の第２畝部（線条）４７が形成されている。【選択図】        図４
2004362406.tif 000002
【特許請求の範囲】
【請求項１】
上面に第１透明抵抗膜が形成された第１透明基材と、前記第１透明基材に間隔を開けて向き合い、前記第１透明抵抗膜に臨む下面に第２透明抵抗膜が形成された第２透明基材とを備え、前記第１透明基材の上面及び下面には第１および第２畝部がそれぞれ所定のピッチで複数形成されたことを特徴とする透明座標入力装置。
【請求項２】
前記第１および第２畝部は、互いに所定角度で交差した方向に延びる突条であることを特徴とする請求項１に記載の透明座標入力装置。
【請求項３】
前記第１および第２畝部は、互いに異なる角度で傾斜した複数の面からなる断面多角形状の突条が所定のピッチで複数形成されてなることを特徴とする請求項１または２に記載の透明座標入力装置。
【請求項４】
前記第１および第２畝部の形成ピッチがそれぞれ１００〜５０００μｍの範囲に設定されたことを特徴とする請求項１ないし３のいずれか１項に記載の透明座標入力装置。
【請求項５】
前記第１および第２畝部の高さがそれぞれ０．１〜１０μｍの範囲に設定されたことを特徴とする請求項１ないし４のいずれか１項に記載の透明座標入力装置。
【請求項６】
請求項１から５のいずれか１つに記載の透明座標入力装置と、液晶表示パネルとを備えたことを特徴とする液晶表示装置。
【請求項７】
透明基材と、透明基材の表面に透明抵抗膜が形成された透明複合材であって、前記透明複合材の上面および下面に第１および第２畝部がそれぞれ所定のピッチで複数形成されたことを特徴とする透明複合材。
【発明の詳細な説明】
【０００１】
【発明の属する技術分野】
本発明は、画面上の座標を直接入力する透明座標入力装置や、この透明座標入力装置を構成する透明複合材に関する。
【０００２】
【従来の技術】
ＰＤＡに代表される携帯情報端末は液晶表示パネル等の表示画面をペンや指で直接操作して、メニューの選択やデータの入力を行うための座標入力装置を備えているのが一般的である。こうした座標入力装置は通常、液晶表示パネルの上に形成され、液晶表示パネルの表示を指し示して入力を行うための透明座標入力装置を備えている。
【０００３】
透明座標入力装置の中でも特に広く用いられている抵抗膜型の透明座標入力装置は、周知のとおり液晶表示パネル側にＩＴＯ（Ｉｎｄｉｕｍ  Ｔｉｎ  Ｏｘｉｄｅ）と呼ばれる透明抵抗膜を表面に形成したガラス板と、操作側に同様の透明抵抗膜を表面に形成したＰＥＴ（ポリエチレンテレフタレートフィルム）などの柔軟な透明樹脂フィルムとを備える。そして、これら２つの透明抵抗膜を絶縁スペーサなどで間隔を開けて対向配置させて作られたフラットパネルデバイスである。
【０００４】
こうした透明座標入力装置は、ペン又は指で透明座標入力装置の表面を押圧して入力操作を行うと、操作側の透明樹脂フィルムが僅かに凹んで、押圧部分を中心に虹色で環状の干渉縞が発生することが知られている。こうした干渉縞が発生すると透明座標入力装置の操作のたびに液晶表示パネルの視認性が低下し、円滑で快適な入力操作が困難になる。特にこうした干渉縞は透明座標入力装置のサイズが大きくなるほど顕著に発生するため、最近の携帯情報端末の表示画面サイズの大型化によって干渉縞対策が強く望まれていた。
【０００５】
上述したような現状に鑑み、透明座標入力装置における従来の干渉縞対策として、液晶表示パネル側または操作側の透明抵抗膜の表面に微細な突起を多数形成した透明座標入力装置が知られている。このような透明座標入力装置は、液晶表示パネルを照らす光が透明抵抗膜の表面に形成された微細な突起によって多方向に拡散されるので、干渉縞の発生は抑制される。（例えば、特許文献１参照。）。
【０００６】
【特許文献１】
特開平８−２８１８５６号公報
【０００７】
【発明が解決しようとする課題】
しかしながら、上述したような、液晶表示パネル側または操作側の透明抵抗膜の表面に微細な突起を多数形成した透明座標入力装置は、個々の突起がそれぞれ微細なレンズの役割を果たすために、液晶表示パネルの表示光による多数の輝点が形成され、透明座標入力装置の外側から液晶表示パネルを見たときに表示がギラついてしまうという問題があった。
【０００８】
また、個々の突起のレンズ効果によって液晶表示パネルのコントラストが低下して、液晶表示パネルが鮮明に観察できずにボケてしまう問題もあった。こうした従来の透明座標入力装置によるギラつきやボケは液晶表示パネルの視認性を低下させる原因になっていた。
【０００９】
一方、上述したような透明座標入力装置は、液晶表示パネル側のガラス板や樹脂板の厚みが薄いために、入力操作に伴って操作側の透明樹脂フィルムが撓むと、この液晶表示パネル側のガラス板や樹脂板まで曲げ強度の不足で撓んでしまい、干渉縞の発生やコントラストの低下をもたらしていた。
【００１０】
本発明は、上記事情に鑑みてなされたものであって、入力操作時の干渉縞やボケの発生を抑制しつつ、表示光の反射による視認性の低下も抑制可能な透明座標入力装置および透明複合材を提供することを目的とする。
【００１１】
【課題を解決するための手段】
上記の目的を達成するために、本発明によれば、上面に第１透明抵抗膜が形成された第１透明基材と、前記第１透明基材に間隔を開けて向き合い、前記第１透明抵抗膜に臨む下面に第２透明抵抗膜が形成された第２透明基材とを備え、前記第１透明基材の上面及び下面には第１および第２畝部がそれぞれ所定のピッチで複数形成されたことを特徴とする透明座標入力装置が提供される。
【００１２】
このような透明座標入力装置によれば、第１畝部および第２畝部は一方向に長く延びる形状であるから、レンズ効果によるボケを生じることがなく、鮮明に画像を観察することが可能になる。また、レンズ効果による照度のムラが生じることがなく、ギラつきを効果的に防止することが可能になる。
【００１３】
前記第１および第２畝部を、互いに所定角度で交差した方向に延びる突条とすることによって、第１透明基材の湾曲圧力に対する強度は大幅に強化される。これにより、透明座標入力装置の押圧による入力時にも第１透明基材の湾曲による液晶表示パネルのコントラストの低下を防止して、視認性を良好に保つことが可能になる。
【００１４】
前記第１および第２畝部は互いに異なる角度で傾斜した複数の面からなる断面多角形状の突条が所定のピッチで複数形成されればよい。こうした長く延びる突条はレンズ効果によるボケや照度のムラの発生を効果的に防止することが可能になる。
【００１５】
前記第１および第２畝部の形成ピッチは１００〜５０００μｍの範囲に設定されるのが好ましい。また、前記第１および第２畝部の高さは０．１〜１０μｍの範囲に設定されるのが好ましい。第１および第２畝部の形成ピッチおよび畝部の高さをこうした範囲に設定することで、第１，第２透明基材の表面が押圧された際に、多数の畝部は人間の眼では視認が困難な極めて細かい干渉縞を発生させる。畝部のピッチを十分細かくすることで、透明座標入力装置に発生する干渉縞は視認不可能なほど微細になり、見かけ上、干渉縞の存在は殆ど認識されなくなる。
【００１６】
上述した透明座標入力装置を液晶表示パネルを備えた液晶表示装置に適用すれば、液晶表示装置の視認性を高め鮮明な表示で入力操作を行うことができる。
【００１７】
【発明の実施の形態】
以下、本発明の実施の形態について、透明座標入力装置（透明座標入力スイッチ）を備えた液晶表示装置を例示する。図１は、本発明の透明座標入力装置を設けた液晶表示装置の断面図ある。液晶表示装置１０は、フロントライト（照明装置）１１と液晶表示パネル１２と透明座標入力装置１３とを備えている。フロントライト１１は、導光板１５と光源１６とからなり、導光板１５には入射面１５ａと観察面１５ｂと出射面１５ｃとが形成されている。
【００１８】
光源１６は、導光板１５の入射面１５ａに沿って設けられた棒状の光源であり、具体的には棒状の導光体の一端面又は両端面に白色ＬＥＤ（Ｌｉｇｈｔ  Ｅｍｉｔｔｉｎｇ  Ｄｉｏｄｅ）などの発光素子を備えたものが好適に用いられる。ただし、光源１６は導光板１５には入射面１５ａに光を導入しうるものであれば問題なく用いることができ、例えば導光板１２の入射面１５ａに沿ってＬＥＤなどの発光素子を並べて構成することもできる。
【００１９】
導光板１２の観察面１５ｂには光源１６から導入された光を出射面１５ｃに向けて変化させる三角波状の溝１７が多数形成されている。観察面１５ｂに形成された溝１７は一対の斜面部からなり、一方の斜面は緩斜面部１７ａとされ、他方は緩斜面部１７ａよりも急な傾斜角度で形成された反射面（急斜面部）１７ｂとされる。
【００２０】
なお、この観察面１５ｂの形状は、上記の形状に限定されず、入射面１５ａから導入されて導光板１５内部を伝搬する光を、出射面１５ｃへ均一に誘導できる形状であればいかなる形状でもよい。また、導光板１２の出射面１５ｃには防反射効果をもたらすＡＲ格子層１８が形成されている。
【００２１】
液晶表示パネル１２は、対向して配置された上基板２１と下基板２２との間に液晶層２３が挟持され、この液晶層２３が基板２１，２２の内面周縁部に沿って額縁状に設けられたシール材２４により封止された構成とされている。上基板２１の内面側（下基板２２側）には、液晶制御層２６が形成されており、下基板２２の内面側（上基板２１側）には、フロントライト１１の照明光や外光を反射させるための金属薄膜を有する反射層２５が形成され、この反射層２５上に液晶制御層２７が形成されている。
【００２２】
液晶制御層２６，２７は、液晶層２３を駆動制御するための電極や、配向膜等を含んで構成されており、上記電極をスイッチングするための半導体素子等も含むものである。また、場合によってはカラーフィルタを備えていてもよい。
【００２３】
図１に示す液晶表示パネル１２は反射型とされており、フロントライト１１から入射した照明光又は外部から入射した外光を反射層２５により反射させて表示を行うようになっている。この反射層２５は、図２に示すように、表面に凹凸形状が形成されたアクリル樹脂等からなる有機膜２５ａ上にスパッタ法等により成膜されたアルミニウムや銀などの高反射率の金属薄膜からなる反射膜２５ｂとを備えて構成されており、反射膜２５ｂには多数の凹部２５ｃが形成される。さらに反射膜２５ｂ上に表面の凹凸形状を平坦化するためにシリコン系樹脂などで平坦化膜を形成してもよい。
【００２４】
前記凹部２５ｃの形状としては、球面などの滑らかな曲面や、この曲面と平面を組み合わせた形状等を適用することができ、内面の傾斜角や凹部のピッチ及び深さを調整することで、液晶表示パネル１２を表示部として備える電子機器の設計に合わせて適切な反射特性を有する反射層とすることができる。図２に示す表面形状を有する反射層２５を備えていることで、入射光を効率よく反射させることができ、より高輝度の表示を行うことができるようになっている。
【００２５】
また、入射光が外光である場合に光の正反射を防ぎ、明るく視認性に優れる表示が得られるようになっている。なお、液晶表示パネル１２は反射型以外にも、半透過型や透過型であってもよく、限定されるものではない。
【００２６】
図１を参照して、透明座標入力装置１３は、２枚の透明複合材３０ａ，３０ｂと、透明複合材３０ａおよび透明複合材３０ｂを一定の間隔を保持して離間させる絶縁スペーサ３５から構成されている。透明複合材３０ａは，板状の第１透明基材３２とこの第１透明基材３２の１面を覆う第１透明抵抗膜３１とからなり、透明複合材３０ｂは板状の第２透明基材３４と、第１透明抵抗膜３１に対面するように第２透明基材３４の１面を覆う第２透明抵抗膜３３とから構成されている。
【００２７】
第１透明基材３２は、例えば厚みが０．５〜１．５ｍｍ、例えば１．０ｍｍ程度の透明なＰＣ（ポリカーボネート）樹脂から形成されれば良く、第１透明基材３２の上面を覆う第１透明抵抗膜３１は、厚みが０．０１〜０．０５μｍ、例えば０．０２μｍ程度のＩＴＯ（ｉｎｄｉｕｍ  Ｔｉｎ  Ｏｘｉｄｅ）等の透明導電材料から形成されれば良い。
【００２８】
第２透明基材３４は、例えば厚みが１７０μｍ程度の透明なＰＥＴ（ポリエチレンテレフタレート）樹脂から形成されれば良く、第２透明基材３４の下面を覆う第２透明抵抗膜３３は、例えば厚みが０．０２μｍ程度のＩＴＯ（ｉｎｄｉｕｍ  Ｔｉｎ  Ｏｘｉｄｅ）等の透明導電材料から形成されれば良い。第１透明基材３２と第２透明基材３４との間には周縁に厚さが１００μｍ程度の絶縁スペーサ３５が形成され、第１透明抵抗膜３１と第２透明抵抗膜３３とを一定間隔で離間させている。
【００２９】
このような透明座標入力装置１３の動作原理は以下のようなものである。図３（Ａ）に示すように、第１透明抵抗膜３１には図３中Ｙ方向の両端部に１組の電極４１ａ，４１ｂが形成され、第２透明抵抗膜３３には、図３中Ｙ方向に対して９０°直交するＸ方向の両端部に１組の電極４２ａ，４２ｂが形成されている。第１透明抵抗膜３１と第２透明抵抗膜３３はそれぞれ面内で均一な抵抗値を持っている。
【００３０】
いま例えば第２透明基材３４をペン等の指示部材で押圧して図３中のＳに相当する点を選択した場合を想定すると、第２透明基材３４の湾曲によって第１透明抵抗膜３１と第２透明抵抗膜３３は点Ｓで接触し電気的に導通状態になる。まず、Ｘ方向の座標の検出は、第２透明抵抗膜３３の電極４２ａ，４２ｂ間に印加された電圧によって、第２透明抵抗膜３３には点Ｓ−電極４２ａ間および点Ｓ−電極４２ｂ間の距離に応じた抵抗値ＲＸ１，ＲＸ２でＸ方向に電位勾配が形成される。この点Ｓにおける電位を第１透明抵抗膜３１の点Ｓから取り出すことで透明座標入力装置１３の点ＳにおけるＸ方向の座標が検出される。
【００３１】
また、Ｙ方向の座標の検出は、図３（Ｂ）に示すように、第１透明抵抗膜３１の電極４１ａ，４１ｂ間に印加された電圧によって、第１透明抵抗膜３１には点Ｓ−電極４１ａ間および点Ｓ−電極４１ｂ間の距離に応じた抵抗値ＲＹ１，ＲＹ２でＹ方向に電位勾配が形成される。この点Ｓにおける電位を第２透明抵抗膜３３の点Ｓから取り出すことで透明座標入力装置１３の点ＳにおけるＹ方向の座標が検出される。
【００３２】
こうして透明座標入力装置１３における押圧点ＳのＸ方向とＹ方向の２次元座標情報が得られる。このいわゆるアナログ抵抗膜方式の透明座標入力装置１３は、Ａ／Ｄコンバータの精度を上げれば座標検出精度が向上するという特徴がある。なお、透明座標入力装置の座標検出方法は、アナログ抵抗膜方式以外にも、例えば第１透明抵抗膜と第２透明抵抗膜にそれぞれＸＹ方向に延びる微細な電極を多数並べて、この電極の接触点の導通から座標を検出する、いわゆるデジタル検出方式であってもよい。
【００３３】
図４は、透明複合材３０ａを示した拡大斜視図である。第１透明基材３２の上面には一方向に延びる多数の第１畝部（線条）４５が形成されている。こうした第１畝部４５は断面が多角形、例えば三角形を成す突条であり、第１透明基材３２の上面には１組の斜面４６ａと斜面４６ｂとが交互に形成された構成とされている。第１透明基材３２の上面に積層される第１透明抵抗膜３１は、こうした第１畝部４５覆う突条を形成している。
【００３４】
一方、第１透明基材３２の下面には、第１畝部４５と所定の角度、例えば直交する方向に延びる多数の第２畝部（線条）４７が形成されている。第２畝部４７も、第１畝部４５と同様に断面が多角形、例えば三角形を成す突条であり、第１透明基材３２の下面には、第１畝部４５と直交する方向に延びる１組の斜面４８ａと斜面４８ｂとが交互に形成された構成とされている。
【００３５】
第１畝部４５、および第２畝部４７の高さＨは、それぞれ０．１〜１０μｍ、例えば３μｍの断面三角形に形成すればよい。また、第１畝部４５および第２畝部４７のピッチＰは、それぞれ１００〜５０００μｍ、例えば１０００μｍピッチで形成すればよい。
【００３６】
第１透明基材３２の上面に第１畝部４５を多数形成すれば、第１透明基材３２の上面は面内の一定方向に延びる長くて細い多数の斜面４６ａ，斜面４６ｂに覆われる。なお、第１畝部４５のピッチＰはランダムに設定されてもよく、例えば、５００μｍ，１０００μｍ，６００μｍ，７００μｍの順に第１畝部４５のピッチＰが変化してもよい。
【００３７】
また、第１透明基材３２の下面に第２畝部４７を多数形成すれば、第１透明基材３２の下面は、第１畝部４５と直交する方向に延びる長くて細い多数の斜面４８ａ，４８ｂに覆われる。なお、第２畝部４７のピッチＰはランダムに設定されてもよく、例えば、５００μｍ，１０００μｍ，６００μｍ，７００μｍの順に第２畝部４７のピッチＰが変化してもよい。
【００３８】
このような幅が細くて長い多数の斜面４６ａ，４６ｂ及び斜面４８ａ，４８ｂは、図５に示すように第２透明基材３４の表面をペン等の指示部材４９で押圧した時に、第１透明基材３２の斜面４６ａ，４６ｂ及び斜面４８ａ，４８ｂに人間の眼では視認が困難な極めて細かい干渉縞を発生させる。第１畝部４５、第２畝部４７のピッチＰを十分細かくすることで、透明座標入力装置１３に発生する干渉縞は視認不可能なほど微細になり、見かけ上、干渉縞の存在は殆ど認識されなくなる。
【００３９】
こうした干渉縞は０．２５μｍ（光の半波長）で１本発生するが、本発明の透明座標入力装置１３によれば、例えば、第１畝部４５、第２畝部４７のピッチＰを１ｍｍにすると高低差が２μｍならば５００μｍ程度の幅の中に１０本の干渉縞が発生する。５００μｍ程度の幅に１０本の干渉縞が発生しても、人間の眼には観察は極めて困難であり、実際上、干渉縞を認識させなくすることができるから、それよりも小さい１００μｍなら干渉縞の影響を確実に排除することができる。
【００４０】
一方で、第１畝部４５、第２畝部４７のピッチＰを１００μｍ以下にすると、第１畝部４５、第２畝部４７を精度良く形成することが困難である。従って、第１畝部４５、第２畝部４７のピッチＰを１００〜５０００μｍに設定すれば、確実に干渉縞の存在を認識させなくすることができる。更に、第１畝部４５、第２畝部４７のピッチＰをランダムに設定すれば、人間の眼には観察が極めて困難で、かつ、サイズも様々な干渉縞になるので、干渉縞の影響一層確実に排除することができる。
【００４１】
一方で、本発明の透明座標入力装置１３は、細かい幅の斜面４６ａ，４６ｂおよび斜面４８ａ，４８ｂが互いに一定角度で交差する一方向に長く延びた面であるので、１点で結像する微細なレンズを形成してしまうことがない。従来のような微細な多数の突起は、その１つ１つが微細なレンズを形成して多数の輝点を発生させて照明光の照度にムラが生じさせ、ギラつきの原因になっていた。
【００４２】
しかし、一方向に長く延びる第１畝部４５、第２畝部４７を第１透明基材３２の上面および裏面にそれぞれ多数形成した本発明の透明座標入力装置１３では、こうした微細なレンズが生じることはない。また、従来のような微細な多数の突起は、その１つ１つが微細なレンズを形成してボケの原因にもなっていたが、一方向に長く延びる第１畝部４５、第２畝部４７を形成した本発明の透明座標入力装置１３では、こうしたボケを防止して、コントラストを向上させた鮮明な画像を観察することができる。
【００４３】
特に、第１透明基材３２の上面および下面にそれぞれ第１畝部４５、第２畝部４７を形成した透明座標入力装置１３では、液晶表示パネル１２の黒色と白色とのコントラストのうち、黒色の黒みを一層上げることができ、透明座標入力装置１３を介して液晶表示パネル１２を観察した際のコントラストを大幅に改善可能である。
【００４４】
以上のように、本発明の透明座標入力装置１３で液晶表示パネル１２に表示されたオブジェクト等を指示部材４９で指し示すと、第１透明抵抗膜３１と第２透明抵抗膜３３は１点で接触し導通する。その際、第２透明基材３４は下方に撓み、干渉縞が発生するが、互いに一定角度で交差する方向に長く延びる微細な第１畝部４５、第２畝部４７を構成する斜面４６ａ，４６ｂおよび斜面４８ａ，４８ｂによって、発生する干渉縞を人間の眼には認識不可能なほど細かくすることができる。
【００４５】
よって、液晶表示パネル１２に表示されたオブジェクトは、干渉縞によって観察が妨げられることなく、透明座標入力装置１３を介して鮮明に観察可能になる。また、第１畝部４５を構成する斜面４６ａ，４６ｂや、第２畝部４７を構成する斜面４８ａ，４８ｂは一方向に長く延びた面であるから、微細なレンズ効果による輝点の発生やボケは抑えられ、照明光の照度にムラが生じることがなく、ギラつきやボケのない鮮明な画像品質で液晶表示パネル１２を観察することが可能になる。
【００４６】
一方、第１透明基材３２の上面に形成した第１畝部４５に一定角度で交差するように第１透明基材３２の下面に第２畝部４７を形成することによって、第１透明基材３２の湾曲圧力に対する強度は大幅に強化される。第１透明基材３２の厚みは薄いので、従来は、第２透明基材の表面をペン等の指示部材で押圧した時に、第２透明基材の湾曲に倣って第１透明基材も湾曲して液晶表示パネル１２の視認性を低下させることがあった。
【００４７】
しかし、上述したように、第１透明基材３２の上面および下面に互いに角度をもって第１畝部４５と第２畝部４７を形成したので、第２透明基材３４の押圧時でも第１透明基材３２の湾曲は防止される。透明座標入力装置１３の押圧による入力時にも第１透明基材３２の湾曲による液晶表示パネル１２のコントラストの低下を防止して視認性を良好に保つことが可能になる。
【００４８】
このような第１畝部４５、第２畝部４７の形成にあたっては、予め第１畝部４５や第２畝部４７の外形を象った金型を用いて第１透明基材３２を構成する透明樹脂を射出成型し、この表面に畝部を備えた第１透明基材３２にＩＴＯからなる第１透明抵抗膜３１を成膜させれば、第１透明抵抗膜３１の表面に多数の第１畝部４５を象るとともに下面に第２畝部４７を有する透明複合材３０ｂを得ることができる。
【００４９】
また、第１透明基材の表面を平坦に形成し、この平坦な第１透明基材の上に第１透明抵抗膜を厚めに成膜して、エッチング等の手法で第１透明抵抗膜を削って一方向に延びる多数の微細な第１畝部を形成してもよい。
【００５０】
干渉縞を視認不可能にする畝部は、断面長方形の突条が延長方向に断続的に形成された形態であっても良い。図６に示すように、透明複合材５１の上面には、断面が長方形の微細な第１畝部５２が多数形成される。この第１畝部５２は、図中の矢印Ｌで示す第１畝部５２の延長方向で一定長さづつ断続的に形成され、個々の第１畝部５２の間には微細な隙間５３が形成される。
【００５１】
また、矢印Ｌと直行する方向に隣接する第１畝部５２同士は、各第１畝部５２の延長方向の長さの略半幅分づつ、ずらして形成されている。このような第１畝部５２はその延長方向Ｌが液晶表示パネルの画素を構成するエッジの延長方向Ｅに対して、一定角度θで傾斜していることが好ましい。
【００５２】
一方、透明複合材５１の下面には、断面が長方形の微細な第２畝部５５が多数形成される。こうした第２畝部５５は、第１畝部５２の延長方向Ｌに対して一定角度で交差する方向Ｍに沿って一定長さづつ断続的に形成される。
【００５３】
こうした第１畝部５２および第２畝部５５で発生する干渉縞は視認不可能なほど微細になり、見かけ上、干渉縞の存在は殆ど認識されなくなる。第１畝部５２、第２畝部５５の延長方向Ｌ、Ｍを、液晶表示パネルの画素を構成するエッジの延長方向Ｅに対して一定角度θで傾斜させることによって、さらに一層干渉縞の視認を不可能にすることができる。
【００５４】
また、この透明複合材５１においても、透明複合材５１の上面および下面に互いに角度をもって第１畝部５２と第２畝部５５とをそれぞれ形成したので、透明座標入力装置の押圧による入力時でも、透明複合材５１の湾曲は防止され、液晶表示パネルの防止して視認性を良好に保つことが可能になる。
【００５５】
なお、透明複合材は透明複合材を構成する透明基材に畝部を形成して、この透明基材に透明抵抗膜を成膜させることで透明複合材の表面に畝部を備えるようにしてもよく、透明抵抗膜自体に畝部を形成して、透明複合材の表面に畝部を備えるようにしてもよい。また、透明基材と透明抵抗膜との間に畝部を形成した中間材を成膜し、透明複合材の表面に畝部を備えるようにしてもよい。畝部はランダムなピッチで形成されてもよい。
【００５６】
【発明の効果】
以上、詳細に説明したように、本発明の透明座標入力装置および透明複合材によれば、第１畝部および第２畝部は一方向に長く延びる形状であるから、レンズ効果によるボケを生じることがなく、鮮明に画像を観察することが可能になる。また、レンズ効果による照度のムラが生じることがなく、ギラつきを効果的に防止することが可能になる。
【００５７】
前記第１および第２畝部を、互いに所定角度で交差した方向に延びる突条とすることによって、第１透明基材の湾曲圧力に対する強度は大幅に強化される。これにより、透明座標入力装置の押圧による入力時にも第１透明基材の湾曲による液晶表示パネルのコントラストの低下を防止して、視認性を良好に保つことが可能になる。
【００５８】
前記第１および第２畝部は互いに異なる角度で傾斜した複数の面からなる断面多角形状の突条が所定のピッチで複数形成されればよい。こうした長く延びる突条はレンズ効果によるボケや照度のムラの発生を効果的に防止することが可能になる。
【００５９】
前記第１および第２畝部の形成ピッチは１００〜５０００μｍの範囲に設定されるのが好ましい。また、前記第１および第２畝部の高さは０．１〜１０μｍの範囲に設定されるのが好ましい。第１および第２畝部の形成ピッチおよび畝部の高さをこうした範囲に設定することで、第１，第２透明基材の表面が押圧された際に、多数の畝部は人間の眼では視認が困難な極めて細かい干渉縞を発生させる。畝部のピッチを十分細かくすることで、透明座標入力装置に発生する干渉縞は視認不可能なほど微細になり、見かけ上、干渉縞の存在は殆ど認識されなくなる。
【００６０】
上述した透明座標入力装置を液晶表示パネルを備えた液晶表示装置に適用すれば、液晶表示装置の視認性を高め鮮明な表示で入力操作を行うことができる。
【図面の簡単な説明】
【図１】図１は、本発明の透明座標入力装置の一実施の形態である液晶表示装置を示す断面図である。
【図２】図２は、液晶表示装置の反射層を示す拡大斜視図である。
【図３】図３は、透明座標入力装置の入力座標を特定する仕組みを示す説明図である。
【図４】図４は、本発明の透明複合材を示す拡大斜視図である。
【図５】図５は、本発明の透明座標入力装置の作用を示す断面図である。
【図６】図６は、本発明の透明座標入力装置の他の実施形態を示す断面図である。
【符号の説明】
１０  液晶表示装置
１２  液晶表示パネル
１３  透明座標入力装置
３０ａ，３０ｂ  透明複合材
３１  第１透明抵抗膜
３２  第１透明基材
３３  第２透明抵抗膜
３４  第２透明基材
３５  絶縁スペーサ
４５  第１畝部
４７  第２畝部
【図１】
2004362406.tif 000003
【図２】
2004362406.tif 000004
【図３】
2004362406.tif 000005
【図４】
2004362406.tif 000006
【図５】
2004362406.tif 000007
【図６】
2004362406.tif 000008